(57)【要約】【課題】無線通信カードにおける送受信特性を高めると共に、無線通信カードをカード着脱機構に対して着脱するときの作業性を高める。【解決手段】無線通信カード１において、同軸コネクタジャック１２をカード側ＩＦコネクタ７から所定距離だけ離して拡張部３に配設し、一方、カード装着機構１９において、外部アンテナ２９に接続されている同軸コネクタプラグ２４を機器側ＩＦコネクタ２７から所定距離だけ離して同軸コネクタジャック１２とカード側ＩＦコネクタ７との間の相対的な位置関係と同一となるように配設した。無線通信カード１をカード装着機構１９に装着することにより、カード側ＩＦコネクタ７と機器側ＩＦコネクタ２７とを接続すると略同時に、同軸コネクタジャック１２と同軸コネクタプラグ２４とを接続することができる。【選択図】  図１
2004327171.tif 000002
【特許請求の範囲】
【請求項１】
データ信号を送受信するためのカード側ＩＦコネクタが本体部に配設されると共に電波信号を送受信するための同軸コネクタジャックが配設された無線通信カードを、データ信号を送受信するための機器側ＩＦコネクタが配設されると共に電波信号を送受信するための同軸コネクタプラグが配設されたカード着脱機構に対してスライドして着脱する無線通信カードの着脱構造であって、
前記同軸コネクタジャックを前記カード側ＩＦコネクタから所定距離だけ離して拡張部に配設し且つ前記同軸コネクタプラグを前記機器側ＩＦコネクタから所定距離だけ離して前記同軸コネクタジャックと前記カード側ＩＦコネクタとの間の相対的な位置関係と同一となるように配設すると共に、前記同軸コネクタジャックと前記同軸コネクタプラグとが接続されている状態で前記無線通信カードが前記同軸コネクタプラグに接続されている外部アンテナにより無線処理を可能に構成したことを特徴とする無線通信カードの着脱構造。
【請求項２】
請求項１に記載した無線通信カードの着脱構造において、
前記同軸コネクタジャックと前記同軸コネクタプラグとが接続されていない状態で前記無線通信カードが当該無線通信カードの内蔵アンテナにより無線処理を可能に構成したことを特徴とする無線通信カードの着脱構造。
【請求項３】
請求項１または２に記載した無線通信カードの着脱構造において、
前記同軸コネクタジャックを前記無線通信カードの外形寸法内に配設したことを特徴とする無線通信カードの着脱構造。
【請求項４】
請求項１ないし３のいずれかに記載した無線通信カードの着脱構造において、
前記無線通信カードが前記カード着脱機構に正常に装着されている状態で前記無線通信カードと前記カード着脱機構とをネジ止め可能に構成したことを特徴とする無線通信カードの着脱構造。
【請求項５】
請求項４に記載した無線通信カードの着脱構造において、
前記無線通信カードと前記カード着脱機構とがネジ止めされる箇所を、前記同軸コネクタジャックと前記同軸コネクタプラグとが接続される箇所よりも外側に配設したことを特徴とする無線通信カードの着脱構造。
【発明の詳細な説明】
【０００１】
【発明の属する技術分野】
本発明は、無線通信カードをカード着脱機構に対してスライドして着脱する無線通信カードの着脱構造に関する。
【０００２】
【従来の技術】
従来より、無線通信カードをカード装着機器（例えばＰＣ端末や車載端末など）に装着したときの無線通信カードにおける送受信特性を高めることを目的として、カード装着機器に外部アンテナを配設し、無線通信カードをカード装着機器に装着したときに、無線通信カードがカード装着機器の外部アンテナに接続されるように構成したものがある（例えば特許文献１、２参照）。
【０００３】
【特許文献１】
特開２００１−３１２３３９号公報
【０００４】
【特許文献２】
特開２００２−１０８４９７号公報
【０００５】
【発明が解決しようとする課題】
しかしながら、上記した特許文献１に記載されているものでは、無線通信カードにおいて、電波信号を送受信するための同軸コネクタジャックが本体部に配設されているので、無線通信カードをカード装着機器に装着したときに、場合によっては、同軸コネクタジャックがカード装着機器の筐体に接触して同軸コネクタジャックによる干渉が発生する虞があり、このような事情から、無線通信カードを装着可能な機器が限定されてしまうという問題がある。
【０００６】
また、上記した特許文献２に記載されているものでは、無線通信カードをカード装着機器に装着し、無線通信カードのカード側ＩＦコネクタとカード装着機器の機器側ＩＦコネクタとを接続する作業を行った後に、無線通信カードの同軸コネクタジャックとカード装着機器の同軸コネクタプラグとを接続する作業を行うことになるので、作業性に劣るという問題がある。
【０００７】
本発明は、上記した事情に鑑みてなされたものであり、その目的は、無線通信カードにおける送受信特性を高めることができると共に、無線通信カードをカード着脱機構に対して着脱するときの作業性を高めることができる無線通信カードの着脱構造を提供することにある。
【０００８】
【課題を解決するための手段】
請求項１に記載した無線通信カードの着脱構造によれば、無線通信カードにおいては、電波信号を送受信するための同軸コネクタジャックを、データ信号を送受信するためのカード側ＩＦコネクタから所定距離だけ離して拡張部に配設し、一方、カード装着機構においては、電波信号を送受信するための同軸コネクタプラグを、データ信号を送受信するための機器側ＩＦコネクタから所定距離だけ離して同軸コネクタジャックとカード側ＩＦコネクタとの間の相対的な位置関係と同一となるように配設したので、従来のものとは異なって、無線通信カードをカード装着機構に装着することにより、カード側ＩＦコネクタと機器側ＩＦコネクタとを接続すると略同時に、同軸コネクタジャックと同軸コネクタプラグとを接続することができ、無線通信カードをカード着脱機構に対して着脱するときの作業性を高めることができる。このとき、同軸コネクタジャックと同軸コネクタプラグとが接続されている状態で、無線通信カードが同軸コネクタプラグに接続されている外部アンテナにより無線処理を可能に構成したので、無線通信カードにおける送受信特性を高めることができる。
【０００９】
請求項２に記載した無線通信カードの着脱構造によれば、同軸コネクタジャックと同軸コネクタプラグとが接続されていない状態で、無線通信カードが当該無線通信カードの内蔵アンテナにより無線処理を可能に構成したので、無線通信カードを外部アンテナが配設されていないカード装着機器に対して装着したとしても、無線通信カード単独で無線処理を行うことができ、汎用性を高めることができる。
【００１０】
請求項３に記載した無線通信カードの着脱構造によれば、同軸コネクタジャックを無線通信カードの外形寸法内に配設したので、同軸コネクタジャックが無線通信カードの外形から突出することがなく、無線通信カードの外形をコンパクトにすることができる。
【００１１】
請求項４に記載した無線通信カードの着脱構造によれば、無線通信カードがカード着脱機構に正常に装着されている状態で無線通信カードとカード着脱機構とをネジ止め可能に構成したので、無線通信カードとカード着脱機構とをネジ止めすることにより、無線通信カードをカード着脱機構に対して確実に固定することができ、耐振動性および耐衝撃性を高めることができると共に、無線通信カードが盗難されることを未然に防止することができる。
【００１２】
請求項５に記載した無線通信カードの着脱構造によれば、無線通信カードとカード着脱機構とがネジ止めされる箇所を、同軸コネクタジャックと同軸コネクタプラグとが接続される箇所よりも外側に配設したので、外力が作用する場合であっても、外力の殆どが無線通信カードとカード着脱機構とがネジ止めされている箇所に作用することにより、同軸コネクタジャックと同軸コネクタプラグとが接続されている箇所を適切に保護することができる。
【００１３】
【発明の実施の形態】
以下、本発明の一実施例について、図面を参照して説明する。図２は、無線通信カードの外観斜視図および正面図を示しており、図３は、無線通信カードがカード装着機構に正常に装着された態様を平面図および断面図により示している。
【００１４】
無線通信カード１は、本体部２と、本体部２に連結する拡張部（エクステンド部）３とから構成されている。本体部２は、カードベース４とカードカバー５とから筐体６が形成されており、その一端面２ａ側にデータ信号を送受信するためのカード側ＩＦコネクタ７が配設されて構成されている。
【００１５】
拡張部３は、カードベース４とカードカバー８とから筐体９が形成されており、本体部２と面一な平板部１０と、平板部１０から隆起した隆起部１１とから構成されている。隆起部１１は、その一端面１１ａ側にカード側ＩＦコネクタ７から所定距離だけ離れて電波信号を送受信するための同軸コネクタジャック１２が配設されていると共に、無線通信カード１の長手方向に直交する方向に突出するように一対のネジ止め部１３ａ，１３ｂが形成されて構成されている。
【００１６】
尚、上記した構成において、カード側ＩＦコネクタ７は、ハウジング１４を通じて回路基板１５の一端側に配設されており、回路基板１５には、上記した同軸コネクタジャック１２が実装されていると共に、内蔵アンテナ１６が実装されている。また、同軸コネクタジャック１２は、無線通信カード１の外形寸法内に配設されており、一対のネジ止め部１３ａ，１３ｂは、同軸コネクタジャック１２よりも外側に配設されている。また、ネジ止め部１３ａ，１３ｂには、それぞれネジ穴１７ａ，１７ｂが形成されている。
【００１７】
カード装着機器１８において、上記した無線通信カード１が着脱されるカード着脱機構１９は、図１に示すように、回路基板２０に実装されており、スロットガイド部２１とコネクタ保持部２２とが組合わされて構成されている。スロットガイド部２１には、その上側に、無線通信カード１がスライドされて着脱される着脱口２３が形成されていると共に、その下側に、上記した無線通信カード１の同軸コネクタジャック１２が嵌合する同軸コネクタプラグ２４が配設されている。そして、同軸コネクタプラグ２４は、同軸コネクタプラグ実装端子３６により回路基板２０に接続されている。また、スロットガイド部２１は、ネジ２５ａ，２５ｂがネジ穴２６ａ，２６ｂに挿通され、回路基板２０にネジ止めされることにより、回路基板２０に対して固定されるように構成されている。
【００１８】
コネクタ保持部２２には、上記した無線通信カード１のカード側ＩＦコネクタ７が嵌合する機器側ＩＦコネクタ２７が配設されている。この場合、無線通信カード１におけるカード側ＩＦコネクタ７と同軸コネクタジャック１２との間の相対的な位置関係（上下方向の距離および水平方向の距離）と、カード着脱機構１９における機器側ＩＦコネクタ２７と同軸コネクタプラグ２４との間の相対的な位置関係とは、同一となっている。つまり、同軸コネクタプラグ２４は、機器側ＩＦコネクタ２７から所定距離だけ離れて配設されている。
【００１９】
また、回路基板２０にあってカード着脱機構１９が実装されている側と反対側には、２個の外部同軸コネクタ２８ａ，２８ｂが配設されており、外部アンテナ２９は、ダイバーシチ受信を実現するために、それぞれ２本の同軸ワイヤ３０ａ，３０ｂを通じて２個の外部同軸コネクタ２８ａ，２８ｂに接続され、回路基板２０に形成された導体パターン（図示せず）を通じて同軸コネクタプラグ２４に接続されている。
【００２０】
そして、このように構成されたカード着脱機構１９は、回路基板２０および外部同軸コネクタ２８ａ，２８ｂと共に、直方体状のケース３１内に収容され、カバー３２により正面から閉塞されている。尚、このとき、無線通信カード１がスライドされて着脱される着脱口２３および同軸コネクタプラグ２４の一部は、カバー３２に形成された開口部３３から露出するように構成されている。また、カバー３２には、上記した無線通信カード１のネジ穴１７ａ，１７ｂに対応してネジ穴３４ａ，３４ｂが形成されている。
【００２１】
次に、上記した構成において、無線通信カード１をカード装着機構１９に装着するときの手順について説明する。
作業者は、無線通信カード１の上下を反転させて、つまり、拡張部３の隆起部１１を下側に向けると共に、カード側ＩＦコネクタ７をカード装着機構１９の着脱口２３に対向させて、無線通信カード１を着脱口２３から図１中矢印Ａ方向へスライドさせてカード装着機構１９に装着させる。
【００２２】
このとき、上記したように無線通信カード１におけるカード側ＩＦコネクタ７と同軸コネクタジャック１２との間の相対的な位置関係と、カード着脱機構１９における機器側ＩＦコネクタ２７と同軸コネクタプラグ２４との間の相対的な位置関係とが同一となっているので、カード側ＩＦコネクタ７が機器側ＩＦコネクタ２７に嵌合されると略同時に、同軸コネクタジャック１２が同軸コネクタプラグ２４に嵌合されることになる。
【００２３】
次いで、作業者は、ネジ３５ａ，３５ｂを無線通信カード１のネジ穴１７ａ，１７ｂおよびカバー３２のネジ穴３４ａ，３４ｂに挿通し、無線通信カード１をカード装着機構１９にネジ止めすることにより、無線通信カード１をカード装着機構１９に対して固定する。
【００２４】
尚、無線通信カード１は、カード着脱機構１９に正常に装着された状態、つまり、同軸コネクタジャック１２と同軸コネクタプラグ２４とが接続された状態では、外部アンテナ２９により無線処理を可能になっており、これに対して、カード着脱機構１９に装着されていない状態、つまり、同軸コネクタジャック１２と同軸コネクタプラグ２４とが接続されていない状態では、内蔵アンテナ１６により無線処理を可能になっている。
【００２５】
以上に説明したように本実施例によれば、無線通信カード１においては、同軸コネクタジャック１２をカード側ＩＦコネクタ７から所定距離だけ離して拡張部３に配設し、一方、カード装着機構１９においては、同軸コネクタプラグ２４を機器側ＩＦコネクタ２７から所定距離だけ離して同軸コネクタジャック１２とカード側ＩＦコネクタ７との間の相対的な位置関係と同一となるように配設したので、従来のものとは異なって、無線通信カード１をカード装着機構１９に装着することにより、カード側ＩＦコネクタ７と機器側ＩＦコネクタ２７とを接続すると略同時に、同軸コネクタジャック１２と同軸コネクタプラグ２４とを接続することができ、無線通信カード１をカード着脱機構１９に対して着脱するときの作業性を高めることができる。このとき、同軸コネクタジャック１２と同軸コネクタプラグ２４とが接続されている状態では、無線通信カード１が同軸コネクタプラグ２４に接続されている外部アンテナ２９により無線処理を可能に構成したので、無線通信カード１における送受信特性を高めることができる。
【００２６】
また、同軸コネクタジャック１２と同軸コネクタプラグ２４とが接続されていない状態では、無線通信カード１が当該無線通信カード１の内蔵アンテナ１６により無線処理を可能に構成したので、無線通信カード１を外部アンテナが配設されていないカード装着機器に対して装着したとしても、無線通信カード１単独で無線処理を行うことができ、汎用性を高めることができる。
【００２７】
また、同軸コネクタジャック１２を無線通信カード１の外形寸法内に配設したので、同軸コネクタジャック１２が無線通信カード１の外形から突出することがなく、無線通信カード１の外形をコンパクトにすることができる。
また、無線通信カード１がカード着脱機構１９に正常に装着されている状態で無線通信カード１とカード着脱機構１９とをネジ止め可能に構成したので、無線通信カード１とカード着脱機構１９とをネジ止めすることにより、無線通信カード１をカード着脱機構１９に対して確実に固定することができ、耐振動性および耐衝撃性を高めることができると共に、無線通信カード１が盗難されることを未然に防止することができる。
【００２８】
また、無線通信カード１とカード着脱機構１９とがネジ止めされる箇所を、同軸コネクタジャック１２と同軸コネクタプラグ２４とが接続される箇所よりも外側に配設したので、外力が作用する場合であっても、外力の殆どが無線通信カード１とカード着脱機構１９とがネジ止めされている箇所に作用することにより、同軸コネクタジャック１２と同軸コネクタプラグ２４とが接続されている箇所を適切に保護することができる。
【００２９】
さらに、カード着脱機構１９において、同軸コネクタプラグ２４と回路基板２０とを接近して配設したので、同軸コネクタプラグ２４と回路基板２０とを接続するための同軸コネクタプラグ実装端子３６の長さを短くすることができ、カード着脱機構１９をコンパクトにすることができると共に、同軸コネクタの周波数特性の損失を低減させることができる。
【００３０】
尚、本発明は、上記した実施例にのみ限定されるものではなく、以下のように変形または拡張することができる。
ガード着脱機構において、無線通信カードをネジ止めするためのネジ穴がスロットガイド部に配設されている構成であっても良く、スロットガイド部とコネクタ保持部とが一体化されている構成であっても良い。また、線通信カードとカード着脱機構とをネジ止めする構成が省略されていても良い。さらに、外部アンテナがダイバーシチ受信を実現する構成でなく、つまり、外部同軸コネクタが１個のみ配設されている構成であっても良い。
【図面の簡単な説明】
【図１】本発明の一実施例を概略的に示す斜視図
【図２】無線通信カードの斜視図および正面図
【図３】無線通信カードがカード着脱機構に正常に装着された態様を示す平面図および断面図
【符号の説明】
図面中、１は無線通信カード、２は本体部、３は拡張部、７はカード側ＩＦコネクタ、１２は同軸コネクタジャック、１６は内蔵アンテナ、１９はカード着脱機構、２４は同軸コネクタプラグ、２７は機器側ＩＦコネクタ、２９は外部アンテナである。
【図１】
2004327171.tif 000003
【図２】
2004327171.tif 000004
【図３】
2004327171.tif 000005